(57)【要約】【課題】電線の係止および解除を確実に行うことができる速結端子、端子台および照明器具を提供する。【解決手段】導電性を有する板材で構成された基板部１１と；基板部から一面側に折り曲げられた電線受板１２と；基板部から一面側に折り曲げられ、さらに側縁部１３ｂが基板部の一面に沿い先端部１３ｃが電線受板に斜めに対向するように折り曲げられ前記電線受板との間で電線を係止すると共に解除ボタン４２ｂにより係止が解除される鎖錠板１３と；鎖錠板の側縁部と基板部の一面１１ａとの間に配設され、鎖錠板の基板部一面方向への移動を阻止する阻止部１４と；を具備する速結端子１を構成する。【選択図】        図１
2010238631.tif 000002
【特許請求の範囲】
【請求項１】
導電性を有する板材で構成された基板部と；
基板部から一面側に折り曲げられた電線受板と；
基板部から一面側に折り曲げられ、さらに側縁部が基板部の一面に沿い先端部が電線受板に斜めに対向するように折り曲げられ前記電線受板との間で電線を係止すると共に解除ボタンにより係止が解除される鎖錠板と；
鎖錠板の側縁部と基板部の一面との間に配設され、鎖錠板の基板部一面方向への移動を阻止する阻止部と；
を具備していることを特徴とする速結端子。
【請求項２】
前記電線受板および鎖錠板は、それぞれ一対の電線受部および一対の鎖錠部を有し、２本の電線を同時に係止することができると共に、共通の解除ボタンにより２本の電線の係止が解除できるようにしたことを特徴とする請求項１記載の速結端子。
【請求項３】
前記阻止部は基板部の一面に突出部を形成することにより構成し、この突出部は鎖錠板が解除ボタンにより係止が解除されるに従い、前記鎖錠板との離間寸法が小さくなるように徐々に傾斜するガイド部を有することを特徴とする請求項１または２記載の速結端子。
【請求項４】
前記基板部は、基板部から一面側に折り曲げられ、さらに側縁部が基板部の一面に沿い先端部が電線受板および鎖錠板に対向するように折り曲げられ前記電線受板との間で電線を挟持する接続部を有し、前記鎖錠板は、前記接続部または解除ボタンの移動寸法の設定によりガイド部と対向しない位置への移動が規制されることを特徴とする請求項３記載の速結端子。
【請求項５】
電線挿通孔を有する端子台本体と；
端子台本体内に配置され、電線挿通孔から挿入される電線を接続する請求項１ないし４いずれか一記載の速結端子と；
を具備していることを特徴とする端子台。
【請求項６】
器具本体と；
器具本体に配置される請求項５記載の端子台と；
を具備していることを特徴とする照明器具。
【発明の詳細な説明】
【技術分野】
【０００１】
本発明は、電線を接続する速結端子、この速結端子を用いた端子台、およびこの端子台を用いた照明器具に関する。
【背景技術】
【０００２】
従来、例えば照明器具などに使用されている端子台では、電線の接続を簡単にできるように速結端子が用いられている。 これら速結端子としては、例えば、特許文献１に示されるように、挿入された電線の側面が接触する導電板と、この導電板に電線を押付けるとともに電線に抜止係止する弾性変形可能な鎖錠片で構成されている。
【０００３】
また、特願２００８−２２２６８１には、基板部の一面側に電線受板、鎖錠板および接続板を３方向からそれぞれ折り曲げ、電線受板には一対の電線受部を、鎖錠板には一対の鎖錠部を、接続板には一対の接続部をそれぞれ形成した２連タイプで一体に形成された速結端子構造の電源端子が提案されている。
【先行技術文献】
【特許文献】
【０００４】
【特許文献１】特開２００１−１１８６１２号公報
【発明の概要】
【発明が解決しようとする課題】
【０００５】
これら速結端子は、通常１枚の導電性を有する金属板を多様な方向に折り曲げ加工して導電板や鎖錠片等を一体に形成している。例えば、特許文献１の段落番号［００２１］に示されているように、銅等の金属製の端子板の側部に立片を折曲し、立片の側部より端子板の端部に延出する延出部を折曲し、延出部の端子板と反対側の端部（上端）より端子板に対して傾斜姿勢に鎖錠片を延出している。
【０００６】
このため、鎖錠片の側縁部と立片の面が直交する向きにそれぞれが対向し、電線の挿入に伴い鎖錠片の側縁部が立片の面に対して移動する構成となる。この場合、鎖錠片の側縁部が移動する際に、立片の面に接触しないように、鎖錠片の側縁部と立片の板面との間に隙間を形成して鎖錠片の移動が円滑に行えるようにして構成される。
【０００７】
しかしながら、このように隙間が形成されると鎖錠片と電線の係止状態を解除ボタンの先端部で鎖錠片を押した際に、鎖錠片に片寄った方向に力がかかると鎖錠片が捩れるように変形しながら、その側縁部が立片の板面を移動することになる。このため、捩れて変形した鎖錠片の側縁部が立片の板面側に移動し、側縁部が立片の板面に当接しながら移動することになる。この結果、解除ボタンを押しても側縁部が立片の板面に引っ掛かり係止されて解除片が動かなくなり電線が引き外せなくなる。また引き外せたとしても鎖錠片が元の状態に復帰しなくなり、再度の電線挿入時に電線を係止できなくなって確実な電気接続を行うことができなくなる。
【０００８】
この問題は、鎖錠片の解除動作のときでなく、電線を斜め方向から無理に差し込んだ場合にも、電線の先端部で鎖錠片に片寄った方向に力がかかり鎖錠片が捩れるように変形し、上記同様の問題が生じる。また、この問題は１連式の速結端子のみでなく、送り端子を有する２連式の速結端子の場合において、特に生じ易くなる。すなわち、２連式の速結端子の場合、特願２００８−２２２６８１、特に、図１にも示されているように、鎖錠片には電源線用の鎖錠部と送り電線用の鎖錠部がスリットによって分離することにより一体に形成され、共通の解除ボタンで電線の係止状態が解除されるように構成される。
【０００９】
このため、解除ボタンの先端部が一対の鎖錠部の共通する部分、すなわちスリットが形成された中央部分を押すこととなり、必然的に解除ボタンの先端部は、一対の鎖錠部の中央部分の側縁部側に片寄った位置を押すこととなり、鎖錠部の捩れによる変形が生じ易くなる。このように鎖錠部の捩れによる変形が生じると、解除ボタンが鎖錠部を押すことができなくなり、電線の係止状態を解除することができなくなるという問題がある。
【００１０】
本発明は、上記の問題に鑑みてなされたもので、電線の係止および解除を確実に行うことができる速結端子、端子台および照明器具を提供しようとするものである。
【課題を解決するための手段】
【００１１】
請求項１に記載の速結端子の発明は、導電性を有する板材で構成された基板部と；基板部から一面側に折り曲げられた電線受板と；基板部から一面側に折り曲げられ、さらに側縁部が基板部の一面に沿い先端部が電線受板に斜めに対向するように折り曲げられ前記電線受板との間で電線を係止すると共に解除ボタンにより係止が解除される鎖錠板と；鎖錠板の側縁部と基板部の一面との間に配設され、鎖錠板の基板部一面方向への移動を阻止する阻止部と；を具備していることを特徴とする。本発明によれば、鎖錠板の側縁部と基板部の一面との間に配設され、鎖錠板の基板部一面方向への移動を阻止する阻止部により、電線の係止および解除を確実に行うことができる速結端子が構成される。
【００１２】
本発明において、速結端子は、端子台等の配線器具に使用されることが好適であるが、単体の端子台に限らず照明器具等の電気機器が具備する電源接続部などにも使用できる。また、電気機器は、照明器具に限らず、例えば空調機などの各種の電気機器に適用することができる。
【００１３】
速結端子は、電源端子に限らずアース端子等、他の機能を有する端子に適用されてもよい。さらに、電源端子またはアース端子等のみを構成する１連タイプの速結端子でも、例えば、電源端子とその送り端子、または、アース端子とその送り端子等で構成した２連タイプの速結端子であってもよい。
【００１４】
基板部は、銅、アルミニウム、ステンレス等、さらには、これら金属の合金等、導電性を有する板材で構成されることが許容される。電線受板および鎖錠板は、板材からなる基板部から一体に折り曲げられて構成されることが好ましいが、必ずしも電線受板および鎖錠板の全体が一体に折り曲げられて構成される必要はなく、それぞれの一部分が別体に構成され一体化されたものであってもよい。基板部における一面とは、面積の広い両面のうちの一面である。
【００１５】
電線受板および鎖錠板は、それぞれ一対の電線受部および一対の鎖錠部を有し、２本の電線を同時に係止することができると共に、共通の解除ボタンにより２本の電線の係止が解除できるようにすることが好ましいが、ここでは、特に係止する電線の本数には限定されず、例えば、１個の電線受部および１個の鎖錠部を有し、１本の電線を係止すると共に、単独の解除ボタンにより係止が解除できるようにしたものでもよい。
【００１６】
阻止部は、基板部の一面に一体または別体に突出部を形成することにより構成することが好ましいが、鎖錠板の側縁部に一体または別体の突出部を設けることにより構成したものであってもよく、要は、鎖錠板の側縁部と基板部の一面との間に配設され、鎖錠板の基板部一面方向への移動を阻止する全ての部材が許容される。なお、阻止部は鎖錠板の初期位置、すなわち電線が挿入されていない状態において、鎖錠板の側縁部と対向する位置に設けたものでなくてもよい。
【００１７】
請求項２に記載の発明は、請求項１記載の速結端子において、前記電線受板および鎖錠板は、それぞれ一対の電線受部および一対の鎖錠部を有し、２本の電線を同時に係止することができると共に、共通の解除ボタンにより２本の電線の係止が解除できるようにしたことを特徴とする。本発明によれば、２本の電線の係止および２本の電線の解除を共通の解除ボタンにより確実に行うことができる２連タイプの速結端子が構成される。
【００１８】
本発明において、一対の電線受部および一対の鎖錠部は、電線受板および鎖錠板のそれぞれの板面にスリットを形成することによって先端部分が分離されることが、良好なばね性を付与するために好ましいが、例えば、板面に開口を形成することによってばね性を付与するなど、ここでは先端部分が分離されずに一体化されたものであってもよい。
【００１９】
共通の解除ボタンは、１本の解除ボタンにより構成されることが好ましいが、例えば、一対の鎖錠部にそれぞれ別個にボタンが配置され、これら別個のボタンに共通の１個の解除ボタンを設け、これを操作することによって２本の電線の係止を同時に解除できるように構成してもよい。また、解除ボタンは、押す操作によって電線の係止をすることが好ましいが、例えば、スライドや回転をさせる操作で電線の係止を解除させるものでもよい。さらに、解除ボタンの操作による移動寸法が所定の寸法に規制されていることが好ましいが、ここでは規制されていないものであってもよい。また解除ボタンは、速結端子を収容する端子台に一体に形成されたものでも、別体に設けたものであってもよい。
【００２０】
請求項３に記載の発明は、請求項１または２記載の速結端子において、前記阻止部は基板部の一面に突出部を形成することにより構成し、この突出部は鎖錠板が解除ボタンにより係止が解除されるに従い、前記鎖錠板との離間寸法が小さくなるように徐々に傾斜するガイド部を有することを特徴とする。本発明によれば、簡易な構成で阻止部を構成することができると共に、傾斜するガイド部により電線の係止および解除をより確実に行うことができる速結端子が構成される。
【００２１】
本発明において、突出部および傾斜するガイド部は、例えば、基板部の一面をプレス加工することにより、基板部に一体に形成することが好ましいが、滑り易い合成樹脂等で別体に形成し、これを基板部の支持孔などに嵌め込んで固定し一体化させたものであってもよい。
【００２２】
請求項４に記載の発明は、請求項３記載の速結端子において、前記基板部は、基板部から一面側に折り曲げられ、さらに側縁部が基板部の一面に沿い先端部が電線受板および鎖錠板に対向するように折り曲げられ前記電線受板との間で電線を挟持する接続部を有し、前記鎖錠板は、前記接続部または解除ボタンの移動寸法の設定によりガイド部と対向しない位置への移動が規制されることを特徴とする。本発明によれば、鎖錠板は、電線の挿入時または電線の係止を解除するときの移動寸法が、接続部または解除ボタンの移動寸法の設定により規制され、鎖錠板が阻止部のガイド部を越えて移動することを防止することが可能となり、電線の係止および解除をより一層確実に行うことができる速結端子が構成される。
【００２３】
本発明において、電線受板との間で電線を挟持する接続部は、板材からなる基板部から一体に折り曲げられて構成されることが好ましいが、必ずしも接続部全体が一体に折り曲げられて構成される必要はなく、一部分が別体に構成され一体化されたものであってもよい。
【００２４】
鎖錠板の移動寸法は、例えば、接続部の折り曲げ角度を変えたり、または、解除ボタンの移動寸法を変えて調整するようにしてもよい。また、同様に接続部の折り曲げ角度を変えることにより、電線受板との間で電線を挟持する力を調整するようにしてもよい。
【００２５】
請求項５に記載の端子台の発明は、電線挿通孔を有する端子台本体と；端子台本体内に配置され、電線挿通孔から挿入される電線を接続する請求項１ないし４いずれか一記載の速結端子と；を具備していることを特徴とする。
【００２６】
請求項６に記載の照明器具の発明は、器具本体と；器具本体に配置される請求項５記載の端子台と；を具備していることを特徴とする。
【発明の効果】
【００２７】
請求項１記載の発明によれば、鎖錠板の側縁部と基板部の一面との間に配設され、鎖錠板の基板部一面方向への移動を阻止する阻止部により、電線の係止および解除を確実に行うことができる速結端子を提供することができる。
【００２８】
請求項２記載の発明によれば、２本の電線の係止および２本の電線の解除を共通の解除ボタンにより確実に行うことができると共に、電線の係止および解除を確実に行うことができる２連タイプの速結端子を提供することができる。
【００２９】
請求項３記載の発明によれば、簡易な構成で阻止部を構成することができると共に、傾斜するガイド部により電線の係止および解除をより確実に行うことができる速結端子を提供することができる。
【００３０】
請求項４記載の発明によれば、鎖錠板の移動寸法が、接続部により規制されると共に、解除ボタンの移動寸法の設定により規制されるようにしたので、鎖錠板が阻止部のガイド部を越えて移動することを防止することが可能となり、電線の係止および解除をより一層確実に行うことができる速結端子を提供することができる。
【００３１】
請求項５記載の発明によれば、請求項１ないし４いずれか一記載の速結端子を用いたので、電線の係止および解除を確実に行うことができる端子台を提供することができる。
【００３２】
請求項６記載の発明によれば、請求項５記載の端子台を用いたので、電線の係止および解除を確実に行うことができる照明器具を提供することができる。
【図面の簡単な説明】
【００３３】
【図１】本発明の第１実施形態の速結端子である電源端子を示し、（ａ）は斜視図、（ｂ）は（ａ）における矢印Ａからみた正面図。
【図２】同じく電源端子を示し、（ａ）は上面図、（ｂ）は（ａ）におけるＡ部分を拡大して示す図、（ｃ）は阻止部がなく鎖錠板の鎖錠部が基板部の一面側に移動した状態を、一部を切り欠いて示す上面図、（ｄ）は（ｃ）におけるＡ部分を拡大して示す図。
【図３】同じく電源端子を示し、（ａ）は接続板がない状態における鎖錠板の作動を説明する図、（ｂ）は（ａ）のｘ−ｘ線に沿って断面した図。
【図４】同じく速結端子であるアース端子を示し、（ａ）は斜視図、（ｂ）は（ａ）における矢印Ａからみた一部を切り欠いて示す正面図。
【図５】本発明の第１実施形態の速結端子である電源端子およびアース端子を用いた端子台の斜視図。
【図６】同じく端子台を示し、（ａ）はカバーの底面図、（ｂ）はボディの上面図。
【図７】同じく端子台を示し、（ａ）は要部を断面して示す斜視図、（ｂ）は解除ボタン部の動作状態を断面して示す図。
【図８】本発明の第１実施形態の端子台を用いた照明器具を、一部を切り欠いて示す斜視図。
【図９】本発明の第１実施形態における速結端子の変形例を示し、（ａ）は第１の変形例を、一部を切り欠き拡大して示す上面図、（ｂ）は第２の変形例を、一部を切り欠き拡大して示す上面図。
【発明を実施するための形態】
【００３４】
以下、本発明に係る速結端子、端子台および照明器具の実施形態について図面に従い説明する。
【実施例１】
【００３５】
本実施例は、蛍光ランプを光源とした照明器具の端子台に用いられる速結端子を構成するものである。まず、速結端子の構成について説明する。本実施例の速結端子は、電源端子１とアース端子２を個々に有して構成されている。
【００３６】
電源端子１は、一端部に形成された外部配線の電源線Ｗ１を接続する第１の速結端子部１０と、他端部に形成された内部配線の電線Ｗ２を接続する第２の速結端子部２０で構成し、第１の速結端子部１０は電源線Ｗ１を接続する電源側端子とその送り電線を接続する送り側端子を形成した２連タイプの速結端子として構成される。
【００３７】
電源端子１は、導電性を有する金属、本実施例では銅合金からなる厚さ約０．４ｍｍ程度の薄く剛性を有し、折り曲げることによって強いばね性を発揮する平らな板材からなり、この板材を折り曲げることによって、第１の速結端子部１０および第２の速結端子部２０が形成される。すなわち、図１に示すように、後述する端子台４０内に縦方向に沿って配置される基板部１１を有し、この基板部の長手方向の一端部に第１の速結端子部１０が形成され、長手方向の他端部に第２の速結端子部２０が形成される。
【００３８】
第１の速結端子部１０は、基板部１１の長手方向と交差する縦方向の一側縁部から基板部１１の一面１１ａ側に直角に折り曲げられた電線受板１２、基板部の長手方向の一端縁部から基板部１１の一面１１ａ側に直角に折り曲げられた鎖錠板１３、鎖錠板１３の側縁部１３ｂと基板部１１の一面１１ａとの間に配設される阻止部１４、基板部１１の長手方向と交差する縦方向の他側縁部から基板部１１の一面１１ａ側に直角に折り曲げられた接続板１５を備えている。
【００３９】
これら電線受板１２、鎖錠板１３および接続板１５は、基板部１１の同じ一面１１ａ側に３方向からそれぞれ直角に折り曲げられて第１の速結端子部１０が構成されている。そして電線受板１２と鎖錠板１３および接続板１５との間に、電源線Ｗ１の芯線が差し込まれ接続される。
【００４０】
電線受板１２は、電線挿入方向に沿って平行となるように形成されており、基板部１１の一面１１ａ側に対して直交する横方向に平行に並んで一対の電線受部１２ａが一体に形成され、これら一対の電線受部１２ａ間で電線受板１２の中央域に、後述する解除ボタン４２ｂが挿通される解除ボタン通し孔１２ｂが形成されている。
【００４１】
鎖錠板１３は、基板部１１から直角に折り曲げられた鎖錠支持部１３ａを有し、この鎖錠支持部１３ａから一方の側縁部１３ｂが基板部１１の一面１１ａに沿い、先端部１３ｃが電線受部１２ａに斜めに対向するように折り曲げられた一対の鎖錠部１３ｄが形成されている。一対の鎖錠部１３ｄは、電線挿入方向の位置に対応して基板部１１の一面１１ａ側に対して直交する横方向に平行に並び、スリット１３ｅによって独立して動くように分離され、各先端部１３ｃが電線受部１２ａに斜めに対向されているとともに、その先端部１３ｃと電線受部１２ａとの間の間隔が電源線Ｗ１の芯線の直径より小さい寸法に形成され、芯線を電線受部１２ａに当接すると共に、その先端部１３ｃを芯線に食い込ませて係止するように構成されている。
【００４２】
また、スリット１３ｅを介して互いに対向する一対の鎖錠部１３ｄの先端部分は、電線受板１２の解除ボタン通し孔１２ｂに対向されており、後述する解除ボタン４２ｂの押圧部４３ｄの先端が当接する解除ボタン当接部１３ｆを構成している。この解除ボタン当接部１３ｆは、スリット１３ｅによって分離された一対の鎖錠部１３ｄのスリットを含む略中間部分に位置しており、共通する１個の解除ボタン４２ｂを押圧することにより、一対の鎖錠部１３ｄが同時に押圧される。
【００４３】
阻止部１４は、基板部１１の一面１１ａを、裏面側からプレスすることにより一面１１ａ側に突出させて突出部を形成することにより構成する(図３（ｂ）)。この突出部には、鎖錠部１３ｄが解除ボタン４２ｂの押圧により係止が解除されるに従って徐々に傾斜するガイド部１４ａとガイド部に連続して形成される平坦な当接部１４ｂが一体に形成される。
【００４４】
これにより、解除ボタン４２ｂの押圧によって鎖錠板１３と電源線Ｗ１の係止が解除される際に、その鎖錠部１３ｄの基板部１１の一面１１ａ側への移動を、その側縁部１３ｂを傾斜するガイド部１４ａに当接して円滑にガイドしながら突出する平坦な当接部１４ｂに案内する。この動作によって鎖錠部１３ｄの基板部１１の一面１１ａ方向への移動が阻止され、鎖錠部１３ｄにおける側縁部１３ｂと基板部１１の一面１１ａとの間に隙間ｓが確実に形成され、側縁部１３ｂの基板部１１の一面１１ａへの接触さらには引っ掛かりが防止される。
【００４５】
鎖錠部１３ｄの基板部１１の一面１１ａ側への移動は、スリット１３ｅによって独立して動くように分離された鎖錠板１３に対して基板部１１の一面１１ａ側に片寄った方向に力がかかった場合に生じ、一対の鎖錠部１３ｄが捩れるように変形しながら、その一方の側縁部１３ｂが基板部１１の一面１１ａに沿って移動することになるが、阻止部１４のガイド部１４ａおよび当接部１４ｂによって、鎖錠部１３ｄの基板部１１の一面１１ａ側への移動が阻止される。
また、ガイド部１４ａの基端部を基板部１１を平面視したときに鎖錠部１３ｄと略平行となるようにし、このガイド部１４ａの基端部の両端からコ字状に切り込みを入れて折り曲げることでガイド部１４ａおよび当接部１４ｂを形成することができ、簡易な構成で阻止部１４を形成できる。
なお、隙間ｓは鎖錠部１３ｄとガイド部１４ａまたは当接部１４ｂと当接しない寸法としてもよい。すなわち、阻止部１４は鎖錠板１３が基板部１１の一面１１ａ側への移動によって塑性変形しないように形成されていればよい。
【００４６】
接続板１５は、基板部１１から直角に折り曲げられた接続支持部１５ａおよびこの接続支持部１５ａから電線受部１２ａおよび鎖錠部１３ｄの先端部１３ｃに対向するように斜めに折り曲げられた一対の接続部１５ｂが一体に形成されている。一対の接続部１５ｂは、電線挿入方向の位置に対応して基板部１１の一面１１ａ側に直交する横方向に平行に並び、さらに、一対の接続部１５ｂは、スリット１５ｃによって独立して動くように分離され、湾曲形成された先端部１５ｄが電線受部１２ａに対向されているとともに、その先端部１５ｄと電線受部１２ａとの間の間隔が電源線Ｗ１の芯線の直径より小さい寸法に形成され、芯線をその先端部１５ｄと電線受部１２ａとの間で挟持するように構成されている。
【００４７】
また接続部１５の先端部１５ｄは電線受部１２ａに対向されているとともに、鎖錠部１３ｄの先端部１３ｃに対向するように折り曲げられている。これにより、接続板１５の側縁部１５ｅが基板部１１の一面１１ａに沿い、前述した阻止部１４の突出部における平坦な当接部１４ｂの下方に臨むように配設され（図１（ｂ））、鎖錠部１３ｄが過度に撓み移動した場合に、鎖錠部１３ｄの先端部１３ｃが接続板１５の先端部１５ｄに当たる。これによって、電源線Ｗ１を鎖錠板１３に挿入した際における鎖錠部１３ｄのガイド部１４ａへの移動寸法が規制され、鎖錠部１３ｄが阻止部１４の当接部１４ｂを乗り越えることが防止される。因みに乗り越えた場合には、図３（ａ）に一点鎖線で示すように、突出する当接部１４ｂの角に鎖錠部１３ｄの側縁部１３ｂが係合して引っ掛かり、電源線Ｗ１を外し押圧を解除しても鎖錠部１３ｄが元の位置に復帰できなくなり、再度電線を挿入しても芯線を鎖錠板１３で係止できず電気接続もできなくなる。
【００４８】
次に、第２の速結端子部２０は、図１に示すように、基板部１１の長手方向の他端縁部から基板部の一面１１ａ側に直角に折り曲げられた折曲板２１、この折曲板から基板部１１の一面１１ａ側に対して斜めに向けて折り曲げられた一対の鎖錠片２２、および折曲板２１から一対の鎖錠片２２を切り起こして開口された一対の電線挿通孔２３を有している。一対の鎖錠片２２は、電線挿入方向の位置に対応して基板部１１の一面側に平行な縦方向に離反して並び、折曲板２１から基板部１１の一面側に対して電線挿入方向に沿って斜めに切り起こし形成されている。
【００４９】
さらに、一対の鎖錠片２２は、その先端が基板部１１における電線受部２４に対向されているとともに、その先端と電線受部２４との間の間隔が内部配線Ｗ２の芯線の直径より小さい寸法に形成されている。なお、第２の速結端子部２０は、接続する内部配線が外部配線の電源線に比べて細いため、第１の速結端子部１０のように接続板１５を用いなくても十分な電気的な接続性が得られる。
【００５０】
次に、アース端子２の構成について説明する。図４に示すように、アース端子２は、上述した本実施例における電源端子１と同様に、本発明の２連式の速結端子を構成するアース端子で、電源端子１と同様に、導電性およびばね性を有する銅合金からなる板材で形成されており、後述する端子台４０内に縦方向に沿って配置される基板部３１を有し、基板部３１の同じ一面３１ａ側に３方向からそれぞれ直角に折り曲げられた電線受板３２、鎖錠板３３、鎖錠板３３の側縁部３３ｂと基板部１１の一面１１ａとの間に配設される阻止部３４および取付板３５を備えている。
【００５１】
これら電線受板３２、鎖錠板３３および取付板３５は、基板部３１の同じ一面３１ａ側に３方向からそれぞれ直角に折り曲げられて構成されている。そして電線受板３２と鎖錠板３３との間に、アース線Ｗ３の芯線が差し込み接続される。
【００５２】
電線受板３２は、電線挿入方向に沿って平行となるように形成されており、基板部３１の一面３１ａ側に対して直交する横方向に平行に並んで一対の電線受部３２ａが一体に形成され、これら一対の電線受部３２ａ間で電線受板３２の中央域に、後述する解除ボタン４３ｂが挿通される解除ボタン通し孔３２ｂが形成されている。
【００５３】
鎖錠板３３は、基板部３１から直角に折り曲げられた鎖錠支持部３３ａを有し、この鎖錠支持部３３ａから一方の側縁部３３ｂが基板部３１の一面３１ａに沿い、先端部３３ｃが電線受部３２ａに斜めに対向するように折り曲げられた一対の鎖錠部３３ｄが形成されている。一対の鎖錠部３３ｄは、電線挿入方向の位置に対応して基板部３１の一面３１ａ側に対して直交する横方向に平行に並び、スリット３３ｅによって独立して動くように分離され、各先端部３３ｃが電線受部３２ａに斜めに対向されているとともに、その先端部３３ｃと電線受部３２ａとの間の間隔がアース線の電線Ｗ３の直径より小さい寸法に形成され、芯線を電線受部３２ａに当接すると共に、その先端部３３ｃを食い込ませて係止するように構成されている。
【００５４】
スリット３３ｅを介して互いに対向する一対の鎖錠部３３ｄの先端部分は、電線受板３２の解除ボタン通し孔３２ｂに対向されており、解除ボタン４３ｂの押圧部４３ｄの先端が当接する解除ボタン当接部３３ｆを構成している。この解除ボタン当接部３３ｆは、スリット３３ｅによって分離された一対の鎖錠部３３ｄのスリットを含む略中間部分に位置しており、後述する１個の解除ボタン４３ｂを押圧することにより、一対の鎖錠部３３ｄが共通して同時に押圧される。
【００５５】
阻止部３４は、電源端子１と同様に、基板部３１の一面３１ａを、裏面側からプレスすることにより一面３１ａ側に突出させて突出部を形成することにより構成する。この突出部には、鎖錠部３３ｄが解除ボタン４３ｂの押圧により係止が解除されるに従って徐々に傾斜するガイド部３４ａとガイド部に連続して形成される平坦な当接部３４ｂが一体に形成される。
【００５６】
これにより、電源端子１と同様に、解除ボタン４３ｂの押圧によって鎖錠板３３とアース線Ｗ３の係止が解除される際に、その鎖錠部３３ｄの基板部３１の一面３１ａ側への移動を、その側縁部３３ｂを傾斜するガイド部３４ａに当接して円滑にガイドしながら突出する平坦な当接部３４ｂに案内する。この動作によって鎖錠部３３ｄの基板部３１の一面３１ａ方向への移動が阻止され、鎖錠部３３ｄにおける側縁部３３ｂと基板部３１の一面３１ａとの間に隙間ｓが確実に形成され、側縁部３３ｂの基板部３１の一面３１ａへの接触、さらには引っ掛かりが防止される。
【００５７】
取付板３５は、基板部３１の他端部を折り曲げることにより一体に形成され、中央にアースねじ接続孔３５ａが、一側に固定片３５ｂが折り曲げられて形成されている。なお、アース端子２は、接続するアース線Ｗ３が外部配線の電源線Ｗ１などに比べて細いため、上述した電源端子１のように接続板１５を用いなくても十分な電気的な接続性が得られる。
【００５８】
上記により、本発明の速結端子を構成する電源端子１およびアース端子２が構成され、これらの端子は端子台に組み込まれて照明器具用の端子台が構成される。次にこの端子台の構成について説明する。
【００５９】
端子台４０は、図５、図６に示すように、電線挿通孔を有する端子台本体４１、端子台本体４１内に配置される２連タイプの速結端子である３個の電源端子１、２連タイプの速結端子である１個のアース端子２、電源端子用の解除ボタン部４２およびアース端子用の解除ボタン部４３で構成されている。
【００６０】
端子台本体４１は、それぞれ電気絶縁性を有する合成樹脂、本実施例では、白色のポリブチレンテレフタレート（ＰＢＴ）製のボディ４４とカバー４５とで箱状に構成され、カバー４５の外面が後述する照明器具５０の器具本体５１への取付面４６として構成されている。ボディ４４はカバー４５側に開口され、カバー４５はボディ４４の開口を覆って被着され、ボディの側面に形成された複数の爪部４４ａとカバー４５の側面に形成された複数の孔部４５ａとの係合によってボディとカバーとが着脱が可能になるように結合されている（図６（ａ）（ｂ））。これらボディ４４とカバー４５との間で端子台本体４１の内部には、３個の電源端子１を収容する３個の電源端子収容部４７が形成されているとともに、１個のアース端子２を収容する１個のアース端子収容部４８が形成されている。
【００６１】
ボディ４４の一側面には、３個の電源端子１毎に対応して電源線Ｗ１の芯線が挿入される一対の３個の電線挿入孔４４ｂがそれぞれ形成されているとともに、アース端子２に対応してアース線Ｗ３の芯線が挿入される一対の１個の電線挿入孔４４ｃが形成されている。各一対の電源線用の電線挿入孔４４ｂおよびアース線用の電線挿入孔４４ｃのうちの一方は電源線等の引込み配線用で他方は送り配線用である。各一対の電源線用の電線挿入孔４４ｂおよびアース線用の電線挿入孔４４ｃは、取付面４６に平行な横方向に並んで一列に配置されているとともに、互いに接近する孔内壁の一部が連通する状態に形成され、さらに、軸方向である電線挿入方向が取付面４６に対して反対側へ斜め上方に向くように形成され電線の挿入をし易くしている。
【００６２】
ボディ４４の各電線挿入孔４４ｂ、４４ｃが形成された一側面とは反対の他側面には、３個の電源端子１毎に対応して内部配線が挿入される一対の電線挿入孔４４ｄがそれぞれ形成されている。各一対の電線挿入孔４４ｄは、取付面４６に垂直な縦方向に並んで配置されているとともに、軸方向である電線挿入方向が取付面４６と平行となるように形成されている。
【００６３】
ボディ４４における取付面４６側とは反対となる表面で、電源線用の電線挿入孔４４ｂの近傍には、電線挿入孔４４ｂから挿入されて電源端子１に接続された電源線Ｗ１を外すための３個の解除ボタン部４２が形成され、またアース線用の電線挿入孔４４ｃの近傍には、電線挿入孔４４ｃから挿入されてアース端子２に接続されたアース線Ｗ３を外すための１個の解除ボタン部４３が形成されている。
【００６４】
電源線Ｗ１を外すための３個の解除ボタン部４２およびアース線Ｗ３を外すための１個の解除ボタン部４３は、それぞれ同一の構成を有しており、図７に示すように、合成樹脂からなるボディ４４の表面に貫通する長孔からなる取付孔４２ａが形成され、この取付孔内に沿う細く長い形状の解除ボタン４２ｂが、その一端部を取付孔４２ａの一端部に連結するようにボディ４４と一体に形成される。これにより、長い形状の解除ボタン４２ｂが、一端部を支点として揺動操作が可能になるように構成される。長い形状の解除ボタン４２ｂの揺動する他端部には、表面側にボタン部４２ｃが裏面側に棒状の押圧部４２ｄが一体に形成され、ボタン部４２ｃ両側に位置するボディ４４の表面側に溝部４２ｅが一体に形成される。
【００６５】
押圧部４２ｄは、ボディ４４の電源端子収容部４７に配置された電源端子１における電線受板１２の解除ボタン通し孔１２ｂを介し、鎖錠板１３における鎖錠部１３ｄの解除ボタン当接部１３ｆに臨み先端が当接している。これによって、図７（ｂ）に示すように、解除ボタン４２ｂのボタン部４２ｃをマイナスドライバＤの先端で押圧すると、押圧部４２ｄの先端で鎖錠部１３ｄの解除ボタン当接部１３ｆが押され、鎖錠板１３が下方に撓んで移動し鎖錠部１３ｄの電源線Ｗ１との係止状態が解除される。
【００６６】
なお、図７中４２ｆは、長い形状の解除ボタン４２ｂおよび長孔からなる取付孔４２ａの左右に一体に形成された凸条部で、解除ボタン４２ｂが揺動する際のガイドの作用をなし、解除ボタン４２ｂの左右へのズレを規制して解除ボタン４２ｂが取付孔４２ａに引っ掛かることなく円滑に揺動するように構成されている。
【００６７】
アース線Ｗ３を外すための１個の解除ボタン部４３も、上記電源線を外すための３個の解除ボタン部４２と同様に、ボディ４４の表面に長孔からなる取付孔４３ａが形成され、細く長い形状の解除ボタン４３ｂにボタン部４３ｃおよび押圧部４３ｄが形成され、さらにボディ４４の表面に溝部４３ｅおよび凸条部４３ｆが一体に形成され、電源線Ｗ１を外すための解除ボタン部４２と同様に作動してアース線Ｗ３とアース端子２の鎖錠板３２との係止が解除される。なお、アース線Ｗ３を外すための解除ボタン部４３は、電源線Ｗ１を外すための解除ボタン部４２と同一の構成であり、図７（ｂ）の（）内にアース線Ｗ３を外すための解除ボタン部４３の符号を付して説明した。
【００６８】
また、図７（ｂ）に示すように、電源線Ｗ１を外すための３個の解除ボタン部４２およびアース線Ｗ３を外すための１個の解除ボタン部４３における溝部４２ｅ、４３ｅの深さは、解除操作における解除ボタン４２ｂ、４３ｂの移動寸法を設定する寸法に形成される。以下、電源線用の解除ボタン部４２およびアース線用の解除ボタン部４３は同様の構成であり、電源線用の解除ボタン部４２を例にして作用を説明する。すなわち、解除する場合にはマイナスドライバＤの先端を解除ボタン４２ｂの押圧部４２ｃ押し当てる。これにより、マイナスドライバＤの先端が両側の溝部４２ｅに嵌合して溝部の底に当接して押圧操作が停止される。これによって、電源線Ｗ１との係止を解除するための鎖錠部１３ｄの撓み量が規制され、解除ボタン４２ｂの過度の押圧操作等による鎖錠部１３ｄの塑性変形を防止している。同時に、鎖錠部１３ｄにおける側縁部１３ｂの、阻止部１４のガイド部１４ａに対する移動寸法が規制され、鎖錠部１３ｄが阻止部１４の当接部１４ｂを乗り越えることが防止される（図３（ａ））。アース線用の解除ボタン部４３も同様にして、鎖錠部３３ｄの塑性変形の防止および鎖錠部３３ｄが阻止部３４の当接部３４ｂを乗り越えることが防止される。
【００６９】
次に、上記に構成された端子台の組立手順および電源線、アース線および内部配線用の電線を接続するための作動を説明する。まず、端子台４０を組み立てるには、ボディ４４の電源端子収容部４７に３個の電源端子１を、その基板部１１を縦にして配置すると共に、アース端子収容部４８にアース端子２を、その基板部３１を縦にして配置し、ボディ４４とカバー４５とを組み合わせて結合する。この端子台４０の組立状態で各電源端子１およびアース端子２がボディ４４とカバー４５との間で保持される。
【００７０】
また、３個の各電源端子１の第１の速結端子部１０において、電線受板１２の電線受部１２ａが各電線挿入孔４４ｂに沿って配置され、鎖錠板１３の鎖錠部１３ｄの先端および接続部１５ｂの先端がそれぞれ電線挿入孔４４ｂに対向する領域に侵入配置されている（図７（ａ））。
【００７１】
３個の電源端子１の第２の速結端子部２０において、基板部１１が電線挿入孔４４ｄに沿って配置され、電線挿通孔２３が電線挿入孔４４ｄに対向して配置され、鎖錠片２２の先端がそれぞれ電線挿入孔４４ｄに対向する領域に侵入配置されている。
【００７２】
１個のアース端子２において、電線受板３２の電線受部３２ａが電線挿入孔４４ｃに沿って配置され、鎖錠板３３の鎖錠部３３ｄの先端が電線挿入孔４４ｃに対向する領域に侵入配置され、固定片３５ｂがカバー４５の取付面４６から突出されているとともにアースねじ接続孔３５ａがカバー４５の取付面４６に形成されたアースねじ挿通孔４５ｂに対向配置されている。
【００７３】
上記により、電源端子１およびアース端子２が端子台本体４１内に配置されることにより、解除ボタン部４２、４３が各端子に対向して位置する。すなわち、電源端子１を解除する３個の解除ボタン４２ｂは、その押圧部４２ｄが電源端子１の電線受板１２の解除ボタン通し孔１２ｃを介して一対の鎖錠部１３ｄの解除ボタン当接部１３ｆに当接している（図７（ａ））。 同様に、解除ボタン４３ｂは、その押圧部４３ｄがアース端子１の電線受板３３の解除ボタン通し孔３３ｃを通じて鎖錠部３３ｄの解除ボタン当接部３３ｆに当接されている。
【００７４】
次に、端子台４０に各電線を接続する作用を説明する。まず、器具本体５１内の内部配線用の電線Ｗ２が各電線挿入孔４４ｄから挿入されて各電源端子１に接続される。端子台４０の各電線挿入孔４４ｄから挿入される内部配線用の電線Ｗ２の芯線は、各電源端子１の電線挿通孔２３を通じて基板部１１における電線受部２４と鎖錠片２２との間に導かれ、鎖錠片２２を弾性変形させながら電線受部２４と鎖錠片２２との間に挿入され、鎖錠片２２と電線受部２４との間で芯線を挟み込んで電気的に接続されるとともに、鎖錠片２２の先端が芯線に食い付くことで抜け止め係止される。
【００７５】
次に、外部配線である電源線Ｗ１およびアース線Ｗ２が、照明器具５０の設置時に器具本体５１内に引き込まれ、端子台４０の３個の一方の電線挿入孔４４ｂおよび１個の一方の電線挿入孔４４ｃに挿入されて接続される。さらに、必要に応じて他の照明器具に接続するための送り配線である電源線およびアース線が、３個の他方の電線挿入孔４４ｂおよび１個の他方の電線挿入孔４４ｃに挿入されて接続される。
【００７６】
電源線Ｗ１の芯線は、端子台４０の一方の電線挿入孔４４ｂに挿入され、電源端子１の電線受部１２ａと鎖錠部１３ｄとの間に導かれ、鎖錠部１３ｄを弾性変形させて撓ませながら電線受部１２ａと鎖錠部１３ｄとの間に挿入され、さらに、電線受部１２ａと接続板１５の接続部１５ｂとの間に導かれ、接続部１５ｂを弾性変形させ撓ませながら電線受部１２ａと接続部１５ｂの先端部１５ｄとの間に挿入され、電線受部１２ａと鎖錠部１３ｄおよび接続部１５ｂとの間で芯線を挟み込んで電気的に接続されるとともに、鎖錠部１３ｄの先端部１３ｃが芯線に食い付くことで抜け止め係止される。
【００７７】
このとき、電源端子１の一対の鎖錠部１３ｄ間、および一対の接続部１５ｂ間がそれぞれスリットにより独立して動くように分離されているため、電源端子１に電源線Ｗ１と送り用の電線が接続される場合でも、それら電線が互いに影響することなく確実に接続できる。また、これら電源線Ｗ１の電源端子１への挿入時において、電線を斜め下方、すなわち、鎖錠板１３を無理に下方へ撓ませるようにして挿入した場合、鎖錠部１３ｄの先端部１３ｃが接続板１５の先端部１５ｄに当たる。これによって、電源線Ｗ１を鎖錠板１３に挿入した際における鎖錠部１３ｄのガイド部１４ａへの移動寸法が規制され、鎖錠部１３ｄが阻止部１４の当接部１４ｂを乗り越えることが防止される。
【００７８】
また、電線を斜め左右、すなわち、鎖錠板１３を無理に左右に撓ませるようにして挿入した場合、スリットで独立して動くように分離された各鎖錠部１３ｄには、図２（ｃ）（ｄ）に示すように、左右に広がる方向、すなわち、一方の鎖錠部１３ｄが基板部１１の一面１１ａ側に片寄った方向の力がかかり広がる方向に移動して側縁部１３ｂが基板部１１の一面１１ａに引っ掛かろうとするが、鎖錠部１３ｄの基板部１１の一面１１ａ側への移動を、その側縁部１３ｂを傾斜するガイド部１４ａに当接してガイドしながら突出する平坦な当接部１４ｂに案内し、これによって鎖錠部１３ｄの基板部１１の一面１１ａ方向への移動が阻止され、側縁部１３ｂの基板部１１一面１１ａへの接触、さらには引っ掛かりが防止される（図２（ａ）（ｂ））。
【００７９】
アース線Ｗ３の芯線は、端子台４０の電線挿入孔４４ｃに挿入され、アース端子２の電線受部３３ａと鎖錠部３３ｄとの間に導かれ、鎖錠部３３ｄを弾性変形させ撓ませながら電線受部３３ａと鎖錠部３３ｄとの間に挿入され、電線受部３３ａと鎖錠部３３ｄとの間で芯線を挟み込んで電気的に接続されるとともに、鎖錠部３３ｄの先端部３３ｃが芯線に食い付くことで抜け止め係止される。
【００８０】
このとき、アース端子２の一対の鎖錠部３３ｄ間がスリットで独立して動くように分離されているため、アース端子２にアース線と送り用のアース線が接続される場合でも、それら電線が互いに影響することなく確実に接続できる。また、アース線Ｗ３を斜め左右、すなわち、鎖錠板３３を無理に左右に撓ませるようにして挿入した場合、上述した電源線Ｗ１を斜め左右に挿入したときと同様の作用により、鎖錠部３３ｄの基板部３１の一面３１ａ方向への移動が阻止され、側縁部３３ｂの基板部３１の一面３１ａへの接触、さらには引っ掛かりが防止される。
【００８１】
次に、電線を外す作用について説明する。まず、電源線Ｗ１を外す場合には、マイナスドライバを用い先端の平たい刃の部分を解除ボタン４２ｂのボタン部４２ｃに当てて、刃を溝部４２ｅに差し込みながら端子台４０内に向けて押圧操作する（図７（ｂ））。これにより、解除ボタン４２ｂの押圧部４２ｄで電源端子１の一対の鎖錠部１３ｄの解除ボタン当接部１３ｆを押圧し、鎖錠部１３ｄの先端１３ｃを電線受部１３ａから離反移動させて芯線に対する鎖錠部１３ｄの先端部１３ｃの食い付きを解除し、その状態で電源線Ｗ１を電線挿入孔４４ｂから引き抜くことができる。
【００８２】
このとき、この解除ボタン当接部１３ｆは、スリット１３ｅによって分離された一対の鎖錠部１３ｄのスリットを含む略中間部分に位置しており、１個の共通する解除ボタン４２ｂを押圧することにより、押圧部４２ｄの先端で一対の鎖錠部１３ｄが同時に押圧され、それぞれの鎖錠部１３ｄに係止されている電源線Ｗ１および送り用の電線を共に引き抜くことができる。なお、引き抜かない、いずれか一方の電線は解除ボタン４２ｂの押圧を解除することにより、鎖錠部３３ｄが元の位置に復帰し、電線がそのまま係止され電線受部１３ａに接続される。
【００８３】
また、上記のように押圧部４２ｄの先端で一対の鎖錠部１３ｄのスリットを含む略中間部分を押圧するために、各鎖錠部１３には、図２（ｃ）（ｄ）に示すように、左右に広がる方向、すなわち、一方の鎖錠部１３ｄが基板部１１の一面側に片寄った方向の力がかかり広がる方向に移動して側縁部１３ｂが基板部１１の一面１１ａに引っ掛かろうとする。しかし、基板部１１には上述のように阻止部１４が形成されているので、鎖錠部１３ｄの基板部１１の一面１１ａ側への移動を、その側縁部１３ｂを傾斜するガイド部１４ａに当接してガイドしながら突出する平坦な当接部１４ｂに案内し、これによって鎖錠部１３ｄの基板部１１の一面１１ａ方向への移動が阻止され、鎖錠部１３ｄにおける側縁部１３ｂと基板部１１の一面１１ａとの間に隙間ｓが確実に形成され、側縁部１３ｂの基板部１１の一面１１ａへの接触、さらには引っ掛かりが防止される。
【００８４】
また、解除ボタン４２ｂの押圧操作は、溝部４２ｅの深さによって解除操作における解除ボタン４２ｂの移動寸法が規制され、マイナスドライバＤの先端の刃が両側の溝部４２ｅに嵌合して溝部の底に当接して押圧操作が停止されるので、解除ボタン４２ｂの過度の押圧操作等によって鎖錠板１３の鎖錠部１３ｄが塑性変形してしまうのを防止し、その後の電線接続の信頼性を向上できる。同時に電線を鎖錠板１３に挿入した際における鎖錠部１３ｄの撓み量、すなわち、阻止部１４におけるガイド部１４ａへの移動寸法が規制され、鎖錠部１３ｄが阻止部１４の当接部１４ｃを乗り越えることが防止される。
【００８５】
次に、アース線Ｗ３を外す場合には、上記電源線Ｗ１を外すと同様に、マイナスドライバを用い先端の平たい刃の部分を解除ボタン４３ｂのボタン部４３ｃに当てて、刃を溝部４３ｅに差し込みながら端子台４０内に向けて押圧操作する(図７（ｂ）)。これにより、解除ボタン４３ｂの押圧部４３ｄで１個のアース端子２の一対の鎖錠部３３ｄの解除ボタン当接部３３ｆを押圧し、鎖錠部３３ｄの先端を電線受部３３ａから離反移動させて芯線に対する鎖錠部３３ｄの先端部３３ｃの食い付きを解除し、その状態でアース線Ｗ３を電線挿入孔４４ｃから引き抜くことができる。
【００８６】
なお、アース端子２を外す場合にも、上記電源端子１を外す場合と同様の作動によって、鎖錠部３３ｄにおける側縁部３３ｂの基板部３１の一面３１ａへの接触さらには引っ掛かりの防止、解除ボタン４３ｂの過度の押圧操作等による鎖錠板３３の塑性変形の防止、さらに鎖錠部３３ｄの阻止部３４における当接部３４ｂの乗り越え防止がなされる。
【００８７】
なお、内部配線の電線Ｗ２を外す場合には、第２の速結端子部２０における電線挿通孔２３から細いドライバを挿入し、斜めに向けて折り曲げられた一対の鎖錠片２２を押し込んで曲げ、電線受部２４から離反移動させて電線に対する食い付きを解除し、その状態で電線を電線挿通孔２３から引き抜いて取り外す。
【００８８】
次に、上記に構成された端子台は、照明器具に組み込まれる。すなわち、照明器具５０は、図８に示すように、天井埋込形で下面が開口されたシャーシである金属製の器具本体５１を備え、この器具本体の長手方向両端に２組のランプソケット５２がそれぞれ対向して取り付けられ、これら長手方向両端の各組のランプソケット間にランプとしての２本の直管形蛍光ランプ５３が接続されている。 器具本体５１の天板部５４の内面には、２本の直管形蛍光ランプ５３間に位置して、上述の端子台４０および図示しない点灯装置が取り付けられているとともに、これらを覆う断面略Ｖ字形の反射板５６が取り付けられている。
【００８９】
上記構成の照明器具５０は、その製造時において端子台４０が器具本体５１に取り付けられる。このとき、アース端子２の固定片３５ｂが器具本体５１に嵌合され、アースねじが器具本体５１を通じて端子台４０内のアース端子１のアースねじ接続孔３５ａ  に螺着され、端子台４０が器具本体５１に固定されるとともにアース端子２と器具本体５１とが電気的に導通される。
【００９０】
さらに、点灯装置から配線孔５７を介して引き出されている内部配線Ｗ２を、端子台４０の電線挿入孔４４ｄから挿入して電源端子１の第２の速結端子部２０にそれぞれ接続して器具内の配線を行う。次に、上記により内部配線され完成された照明器具５０を天井等に設置し、外部電線である電源線Ｗ１およびアース線Ｗ３を、それぞれ端子台４０の電線挿入孔４４ｂ、４４ｃから挿入して、電源端子１の第１の速結端子部１０における一方の電線受部１２ａにそれぞれ接続して器具と電源およびアースとを接続する。
【００９１】
また、他の器具に送り配線を行う場合には、送り用の電源線Ｗ１やアース線Ｗ３を端子台４０の電線挿入孔４４ｂ、４４ｃからそれぞれ挿入して、電源端子１の第１の速結端子部１０における他方の電線受部１２ａおよびアース端子２の電線受部３２ａにそれぞれ接続して電源線およびアース線の送り配線を行う。そして、電源を投入することで２本の直管形蛍光ランプ５３が点灯して所定の照明が行われる。
【００９２】
以上、本実施例によれば、電源端子１は、基板部１１の３方向から一面側に電線受板１２、鎖錠板１３および接続板１４をそれぞれ折り曲げ、基板部１１の一面１１ａ側と平行に並んで、電線受板１２には一対の電線受部１２ａを、鎖錠板１３には一対の鎖錠部１３ｄを、接続板１５には一対の接続部１５ｂをそれぞれ形成しているため、２連タイプで一体に形成された速結端子を提供できる。
【００９３】
しかも、電源端子１は、基板部１１の一端に第１の速結端子部１０を一体に形成しているとともに、基板部１１の他端に第２の速結端子部２０を一体に形成しているため、２方向から電線の接続が可能な一体形の速結端子を提供できる。
【００９４】
さらに、電源端子１は２連タイプでありながら一体に形成されるために、板素材から電源端子１の展開状態の形を型抜きした際の材料取りがよい。特に、第２の速結端子部２０の一対の鎖錠片２２を基板部１１と平行な縦方向としているため、第２の速結端子部２０を基板部１１から延長した形状で型抜きでき、材料取りがよい。 また、アース端子２についても、電源端子１と同様に、２連タイプで一体に形成された速結端子を提供できる。
【００９５】
本実施例によれば、上記の作用効果を奏すると共に、次のような速結端子の作動における作用効果を奏する。本実施例の速結端子、すなわち、電源端子およびアース端子によれば、鎖錠板の側縁部と基板部一面との間に配設され、鎖錠板の基板部一面方向への移動を阻止する阻止部を設けたので、電線の解除を容易かつ確実に行うことができる。同時に解除ボタンの押圧を解除すると鎖錠板が引っ掛かることなく確実に元の位置に復帰するので電線を確実に係止し接続することが可能な速結端子を提供することができる。
【００９６】
特に、阻止部は、基板部の一面を裏面側からプレスすることにより一面側に突出させて突出部し、この突出部は傾斜するガイド部とガイド部に連続して形成される当接部を一体に形成したので、簡易な構成で阻止部を構成することができ、コスト的に有利な速結端子を提供することができると共に、その動作において、鎖錠部の基板部の一面側への移動を、傾斜するガイド部で円滑にガイドしながら当接部に案内することができ、電線の解除を円滑で一層容易かつ確実に行うことができる。同時に解除ボタンの押圧を解除すると鎖錠板が引っ掛かることなく円滑かつ確実に元の位置に復帰するので電線を一層確実に係止し接続することが可能な速結端子を提供することができる。
【００９７】
また、電線を斜め左右、すなわち、鎖錠板を無理に左右に撓ませるようにして挿入した場合にも、鎖錠部の基板部の一面側への移動を、その側縁部を傾斜するガイド部に当接してガイドしながら突出する平坦な当接部に案内するので、鎖錠部の基板部一面方向への移動が阻止され、側縁部の基板部一面への接触、さらには引っ掛かりが防止される。これにより、鎖錠板が引っ掛かることなく円滑かつ確実に元の位置に復帰するので電線を一層確実に係止し接続することが可能な速結端子を提供することができる。
【００９８】
特に、電源端子１は、接続部１５の側縁部１５ｅが基板部１１の一面１１ａに沿い、阻止部１４の平坦な当接部１４ｂの下方に臨むように配設されるようにしたので、電線を斜め下方、すなわち、鎖錠板１３を無理に下方へ撓ませるようにして挿入した場合でも、鎖錠部１３ｄの先端部１３ｃが接続板１５の先端部１５ｄに当たり、鎖錠部１３ｄが阻止部１４の当接部１４ｂを乗り越えることが防止され、鎖錠板１３は元の位置に確実に復帰するので電線をより一層確実に係止し接続することが可能な速結端子を提供することができる。
【００９９】
また、上述した作用効果を有する速結端子を用いた本実施例の端子台によれば、解除ボタン部における溝部の深さを、解除操作における解除ボタンの移動寸法を設定する寸法に形成したので、解除ボタンの過度の押圧操作等があっても、速結端子における鎖錠部の塑性変形を防止することができる。同時に、速結端子における鎖錠部が阻止部の当接部を乗り越えることが防止され、鎖錠板は元の位置に確実に復帰されるので電線をより一層確実に係止し接続することが可能な端子台を提供することができる。
【０１００】
さらに、本実施例の端子台は、上述した電線受板および鎖錠板は、それぞれ一対の電線受部および一対の鎖錠部を有する速結端子と組み合わされて構成されているので、共通の１個の解除ボタンによって、例えば、電源線と送り用の電線を係止し確実に接続することができると共に、２本の電線の係止の解除を確実に行うことができる。
【０１０１】
換言すれば、本実施例の端子台は、スリットで独立して動くように分離された一対の鎖錠部を有する鎖錠板の、基板部一面方向への移動を阻止する阻止部を設けた速結端子と組み合わせることにより、一対の鎖錠部の共通する中央部分を押圧しても鎖錠部が基板部一面に引っ掛かることが防止される。このため１本の共通の解除ボタンを採用することができ解除機能を簡素化した端子台を提供することができる。
【０１０２】
さらに、本実施例の端子台は、解除ボタン部における溝部の深さで解除操作における解除ボタンの移動寸法を規制することにより鎖錠板が阻止部に引っ掛かることなく確実に復帰する機能を有し、この同様の確実に復帰する機能を阻止部によって有する速結端子と組み合わせて端子台を構成し、端子台と速結端子の両方が共に有する２重の機能によって鎖錠板は元の位置に確実に復帰されので、電線をより一層確実に係止し接続することが可能な端子台を提供することができる。
【０１０３】
また、端子台４０は、２連タイプで一体に形成された速結端子構造の電源端子１およびアース端子２を用いるため、特に基板部１１に垂直な幅方向の小形化ができ、各端子とも１部品であるために端子台４０への組立性も向上できると共に、電線の係止および解除を確実に行うことができる端子台４０を提供することができる。
【０１０４】
また、照明器具５０は、幅方向寸法の小さい端子台４０を用いることができるため、器具内での設置ペースが小さくて済み、幅方向寸法の小さいスリムな照明器具も提供できると共に、電線の係止および解除を確実に行うことができる。同時に電線を多少傾けて端子台に挿入しても鎖錠板が引っ掛かったりすることがなく速結端子の機能が低下しないので、器具の設置時における配線作がし易く、また故障の少ない照明器具を提供することができる。
【０１０５】
以上、本実施例において、阻止部１４を基板部１１の一面１１ａに一体に形成したが、図９（ａ）に示すように、鎖錠板１３における鎖錠部１３ｄの側縁部１３ｂに一体に突出部１４ｃを形成することにより構成したものでもよい。さらに、図９（ｂ）に示すように、基板部１１の一面１１ａに一体に形成したガイド部１４ａと当接部１４ｂからなる突出部と、鎖錠部１３ｄの側縁部１３ｂに一体に形成した突出部１４ｃの両方を設けて、より一層確実に鎖錠板１３の基板部１１の一面１１ａ方向への移動を阻止するように構成してもよい。
【０１０６】
なお、変形例を示す図９には、図１〜図８と同一部分に同一の符号を付し詳細な説明は省略した。以上、本発明の好適な実施形態を説明したが、本発明は上述の実施例に限定されることなく、本発明の要旨を逸脱しない範囲内において、種々の設計変更を行うことができる。
【符号の説明】
【０１０７】
１  速結端子（電源端子）
２  速結端子（アース端子）
１０  第１の速結端子部
１１  基板部
１２  電線受板
１２ａ  電線受部
１３  鎖錠板
１３ｂ  側縁部
１３ｃ  先端部
１３ｄ  鎖錠部
１４  阻止部
１４ａ  ガイド部
１５  接続板
１５ｂ  接続部
４２ｂ  解除ボタン
４０  端子台
４１  端子台本体
５０  照明器具
５１  器具本体
【図１】
2010238631.tif 000003
【図２】
2010238631.tif 000004
【図３】
2010238631.tif 000005
【図４】
2010238631.tif 000006
【図５】
2010238631.tif 000007
【図６】
2010238631.tif 000008
【図７】
2010238631.tif 000009
【図８】
2010238631.tif 000010
【図９】
2010238631.tif 000011